(57)【特許請求の範囲】
【請求項１】
第１及び第２の電力線（１２，１４，３２，３４，５２，５４，７２，７４，９２，９４，１１２，１１４）が接続する第１の電源プラグ（１０，３０，５０，７０，９０，１１０）と、
当該第１及び第２の電力線の何れとも物理的に接続しない第３及び第４の電力線（２２，２４，４２，４４，６２，６４，８２，８４，１０２，１０４，１２２，１２４）が接続する第２の電源プラグ（２０，４０，６０，８０，１００，１２０）
とを具備し、
当該第１、第２、第３及び第４の電力線が互いに平行に近接して並置されていることを特徴とするＰＬＣ信号結合装置。
【請求項２】
当該第１及び第２の電力線を配置する平面が、当該第３及び第４の電力線を配置する平面から離れて且つ平行になるように、当該第１、第２，第３及び第４の電力線が互いに平行に近接して並置されていることを特徴とする請求項１に記載のＰＬＣ信号結合装置。
【請求項３】
当該第１、第２，第３及び第４の電力線が同一平面上に配置されることを特徴とする請求項１に記載のＰＬＣ信号結合装置。
【請求項４】
当該第１及び第２の電力線の先端間が開放されており、当該第３及び第４の電力線の先端間が開放されていることを特徴とする請求項１乃至３の何れか１項に記載のＰＬＣ信号結合装置。
【発明の詳細な説明】
【技術分野】
【０００１】
本発明は、ＰＬＣ（電力線通信）信号を結合するＰＬＣ信号結合装置に関する。
【背景技術】
【０００２】
電力線通信（ＰＬＣ）ネットワークでは、基本的に、同じ電力系統内の電源コンセントに接続するＰＬＣモデム間で通信を行う。異なる電源装置からの電力線間では、信号を伝送するには、それぞれの電力線にＰＬＣモデムを接続し、これらのＰＬＣモデム間に信号を中継する中継装置を接続することになる。
【０００３】
コイルを利用し、電力線にＰＬＣ信号を結合し、電力線からＰＬＣ信号を分離する装置が、特許文献１，２に記載されている。
【特許文献１】特開２００５−１５０９７５号公報
【特許文献２】特表２００４−５１７５４５号公報
【発明の開示】
【発明が解決しようとする課題】
【０００４】
このように、異なる電力系統間でＰＬＣ信号を中継するには、専用の中継装置を用意しなければならない。
【０００５】
また、同じ電力系統に属するコンセント間でも、その伝送距離によっては、充分なＰＬＣ通信を実現できない場合がある。そのような場合でも、簡易に伝送距離を大幅に短縮できれば、十分に高速のＰＬＣ通信を実現できる。
【０００６】
本発明は、物理的に独立した電力線ネットワーク間、及び、同じ電力系統内のコンセント間で、短絡の危険無しにＰＬＣ信号を簡易に接続できるＰＬＣ信号結合装置を提示することを目的とする。
【課題を解決するための手段】
【０００７】
本発明に係るＰＬＣ信号結合装置は、第１及び第２の電力線が接続する第１の電源プラグと、当該第１及び第２の電力線の何れとも物理的に接続しない第３及び第４の電力線が接続する第２の電源プラグとを具備し、当該第１、第２、第３及び第４の電力線が互いに平行に近接して並置されていることを特徴とする。
【発明の効果】
【０００８】
本発明では、第１及び第２の電力線から第３及び第４の電力線に、及びその逆に、ＰＬＣ信号が結合する。第３及び第４の電力線は何れも、当該第１及び第２の電力線と物理的に接続していないので、短絡のおそれが無い。即ち、短絡の危険無しに、ＰＬＣ信号をコンセント間で結合できる。
【発明を実施するための最良の形態】
【０００９】
以下、図面を参照して、本発明の実施例を詳細に説明する。
【実施例１】
【００１０】
図１は、本発明の実施例１の概略構成図を示す。図１（Ａ）は、本実施例の平面図を示し、図１（Ｂ）は、Ａ１−Ａ１線から見た断面図を示す。
【００１１】
電源プラグ１０に２本の電力線１２，１４が接続し、電力線１２，１４の他端は開放されている。同様に、電源プラグ２０に電力線２２，２４が接続し、電力線２２，２４の他端は、開放されている。電力線１２，１４，２２，２４の長さは、数ｍ乃至数十ｍ程度である。
【００１２】
電力線１２，１４の開放端の側に電源プラグ２０を配置し、電力線２２，２４の開放端の側に電源プラグ１０を配置し、電力線１２，１４，２２，２４を互いに平行に近接して配置する。図１（Ｂ）に示すように、電力線１２，１４の対と電力線２２，２４の対を同一面上に配置する。即ち、電力線１２，１４，２２，２４の順に並べて配置する。
【００１３】
このように、電力線１２，１４，２２，２４を同一面上に並置することで、電力線１２，１４間の電気信号が、電磁誘導により電力線２２，２４間に結合し、同様に、電力線２２，２４間の電気信号が、電磁誘導により電力線１２，１４に結合する。即ち、電力線１２，１４の対及び電力線２２，２４の対が、それぞれ、アンテナとして作用する。
【００１４】
これにより、電源プラグ１０，２０を別々のコンセントに接続すると、電源プラグ１０が接続する電力線上のＰＬＣ信号が、電力線１２，１４から電力線２２，２４に結合し、電源プラグ２０が接続する電力線に伝達される。同様に、電源プラグ２０が接続する電力線上のＰＬＣ信号が、電力線２２，２４から電力線１２，１４に結合し、電源プラグ１０の接続する電力線に伝達される。
【００１５】
なお、近接する信号線間の漏洩による結合が実際的であることは、例えば、粒崎他、「電力線ケーブルからの宅内通信線への漏話減衰量」、２００２年電子情報通信学会総合大会、Ｂ−８−３２に記載されている。
【００１６】
電力線１２，１４と電力線２２，２４は電気的に接続していないので、電源プラグ１０，２０間で短絡の危険は無い。従って、本実施例の接続装置は、短絡の危険無しに、異なる電源系統のコンセント間に接続できる。また、同じ電源系統であっても、電圧の異なる箇所のコンセント間にも、短絡の危険無しに接続できる。開放端とみなしうる程に大きな抵抗を電力線１２，１４の先端間又は電力線２２，２４の先端間に接続してもよいことは勿論である。
【実施例２】
【００１７】
図２は、本発明の実施例２の概略構成図を示す。図２（Ａ）は、本実施例の平面図を示し、図２（Ｂ）は、Ａ２−Ａ２線から見た断面図を示す。
【００１８】
電源プラグ３０に２本の電力線３２，３４が接続し、電力線３２，３４の他端は開放されている。同様に、電源プラグ４０に電力線４２，４４が接続し、電力線４２，４４の他端は、開放されている。電力線３２，３４，４２，４４の長さは、数ｍ乃至数十ｍ程度である。
【００１９】
電力線３２，３４の開放端の側に電源プラグ４０を配置し、電力線４２，４４の開放端の側に電源プラグ３０を配置し、電力線３２，３４，４２，４４を互いに平行に近接して配置する。図２（Ｂ）に示すように、電力線３２，３４の間に電力線４２，４４を位置させ、且つ、電力線３２，３４，４２，４４を同一面上に配置する。即ち、電力線３２，４２，４４，３４の順に並べて配置する。
【００２０】
このように、電力線３２，３４，４２，４４の対を同一面上に並置することで、電力線３２，３４間の電気信号が、電磁誘導により電力線４２，４４に結合し、同様に、電力線４２，４４間の電気信号が、電磁誘導により電力線３２，３４に結合する。電力線３２，３４の対及び電力線４２，４４の対が、それぞれ、アンテナとして作用する。
【００２１】
これにより、電源プラグ３０，４０を別々のコンセントに接続すると、電源プラグ３０が接続する電力線上のＰＬＣ信号が、電力線３２，３４から電力線４２，４４に結合し、電源プラグ４０が接続する電力線に伝達される。同様に、電源プラグ４０が接続する電力線上のＰＬＣ信号が、電力線４２，４４から電力線３２，３４に結合し、電源プラグ３０の接続する電力線に伝達される。
【００２２】
電力線３２，３４と電力線４２，４４は電気的に接続していないので、電源プラグ３０，４０間で短絡の危険は無い。従って、本実施例の接続装置は、短絡の危険無しに、異なる電源系統のコンセント間に接続できる。また、同じ電源系統であっても、電圧の異なる箇所のコンセント間にも、短絡の危険無しに接続できる。開放端とみなしうる程に大きな抵抗を電力線３２，３４の先端間又は電力線４２，４４の先端間に接続してもよいことは勿論である。
【実施例３】
【００２３】
図３は、本発明の実施例３の概略構成図を示す。図３（Ａ）は、本実施例の平面図を示し、図３（Ｂ）は、Ａ３−Ａ３線から見た断面図を示す。
【００２４】
電源プラグ５０に２本の電力線５２，５４が接続し、電力線５２，５４の他端は開放されている。同様に、電源プラグ６０に電力線６２，６４が接続し、電力線６２，６４の他端は、開放されている。電力線５２，５４，６２，６４の長さは、数ｍ乃至数十ｍ程度である。
【００２５】
電力線５２，５４の開放端の側に電源プラグ６０を配置し、電力線６２，６４の開放端の側に電源プラグ５０を配置し、電力線５２，５４，６２，６４を互いに平行に近接して配置する。図３（Ｂ）に示すように、電力線５２，５４の間に電力線６２が位置し、電力線６２，６４の間に電力線５４が位置するように、電力線５２，５４，６２，６４を同一面上に配置する。即ち、電力線５２，６２，５４，６４の順に並べて配置する。
【００２６】
このように、電力線５２，６２，５４，６４の対を同一面上に並置することで、電力線５２，５４間の電気信号が、電磁誘導により電力線６２，６４に結合し、同様に、電力線６２，６４間の電気信号が、電磁誘導により電力線５２，５４に結合する。電力線５２，５４の対及び電力線６２，６４の対が、それぞれ、アンテナとして作用する。
【００２７】
これにより、電源プラグ５０，６０を別々のコンセントに接続すると、電源プラグ５０が接続する電力線上のＰＬＣ信号が、電力線５２，５４から電力線６２，６４に結合し、電源プラグ６０が接続する電力線に伝達される。同様に、電源プラグ６０が接続する電力線上のＰＬＣ信号が、電力線６２，６４から電力線５２，５４に結合し、電源プラグ５０の接続する電力線に伝達される。
【００２８】
電力線５２，５４と電力線６２，６４は電気的に接続していないので、電源プラグ５０，６０間で短絡の危険は無い。従って、本実施例の接続装置は、短絡の危険無しに、異なる電源系統のコンセント間に接続できる。また、同じ電源系統であっても、電圧の異なる箇所のコンセント間にも、短絡の危険無しに接続できる。開放端とみなしうる程に大きな抵抗を電力線５２，５４の先端間又は電力線６２，６４の先端間に接続してもよいことは勿論である。
【実施例４】
【００２９】
図４は、本発明の実施例４の概略構成図を示す。図４（Ａ）は、本実施例の平面図を示し、図４（Ｂ）は、Ａ４−Ａ４線から見た断面図を示す。
【００３０】
電源プラグ７０に２本の電力線７２，７４が接続し、電力線７２，７４の他端は開放されている。同様に、電源プラグ８０に電力線８２，８４が接続し、電力線８２，８４の他端は、開放されている。電力線７２，７４，８２，８４の長さは、数ｍ乃至数十ｍ程度である。図４（Ａ）では、電力線７２，７４と電力線８２，８４の終端の様子を理解しやすいように、電力線８２，８４を横にずらして図示してある。
【００３１】
電力線７２，７４の開放端の側に電源プラグ８０を配置し、電力線８２，８４の開放端の側に電源プラグ７０を配置し、電力線７２，７４，８２，８４を互いに平行に近接して配置する。但し、この実施例では、図４（Ｂ）に示すように、電力線７２，７４のある平面から平行に少し離れた平面上に電力線８２，８４を配置し、電力線７２，７４に対してそれぞれ電力線８２，８４を近接して配置する。
【００３２】
図４（Ｂ）に示すように、電力線７２，７４の対と、電力線８２，８４の対を平行な近接する面上に配置することで、電力線７２，７４間の電気信号が、電磁誘導により電力線８２，８４に結合し、同様に、電力線８２，８４間の電気信号が、電磁誘導により電力線７２，７４に結合する。電力線７２，７４の対及び電力線８２，８４の対が、それぞれ、アンテナとして作用する。
【００３３】
これにより、電源プラグ７０，８０を別々のコンセントに接続すると、電源プラグ７０が接続する電力線上のＰＬＣ信号が、電力線７２，７４から電力線８２，８４に結合し、電源プラグ８０が接続する電力線に伝達される。同様に、電源プラグ８０が接続する電力線上のＰＬＣ信号が、電力線８２，８４から電力線７２，７４に結合し、電源プラグ７０が接続する電力線に伝達される。
【００３４】
電力線７２，７４と電力線８２，８４は電気的に接続していないので、電源プラグ７０，８０間で短絡の危険は無い。従って、本実施例の接続装置は、短絡の危険無しに、異なる電源系統のコンセント間に接続できる。また、同じ電源系統であっても、電圧の異なる箇所のコンセント間にも、短絡の危険無しに接続できる。開放端とみなしうる程に大きな抵抗を電力線７２，７４の先端間又は電力線８２，８４の先端間に接続してもよいことは勿論である。
【実施例５】
【００３５】
図５は、本発明の実施例５の概略構成図を示す。図５（Ａ）は、本実施例の平面図を示し、図５（Ｂ）は、Ａ５−Ａ５線から見た断面図を示す。
【００３６】
電源プラグ９０に２本の電力線９２，９４が接続し、電力線９２，９４の他端は開放されている。同様に、電源プラグ１００に電力線１０２，１０４が接続し、電力線１０２，１０４の他端は、開放されている。電力線９２，９４，１０２，１０４の長さは、数ｍ乃至数十ｍ程度である。図５（Ａ）では、電力線９２，９４と電力線１０２，１０４の終端の様子を理解しやすいように、電力線９２，９４の間隔を広げて図示してある。
【００３７】
電力線９２，９４の開放端の側に電源プラグ１００を配置し、電力線１０２，１０４の開放端の側に電源プラグ９０を配置し、電力線９２，９４，１０２，１０４を互いに平行に近接して配置する。
【００３８】
図４に示す実施例４では、電力線７２，７４からなる平面が、電力線８２，８４からなる平面と平行になるように、電力線７２，７４，８２，８４を配置したが、図５に示す実施例５では、電力線９２，９４からなる平面が、電力線１０２，１０４からなる平面と交差するように、電力線９２，９４，１０２，１０４を配置した。
【００３９】
図５（Ｂ）に示すように、電力線９２，９４の対に近接して電力線１０２，１０４の対を配置することで、電力線９２，９４間の電気信号が、電磁誘導により電力線１０２，１０４に結合し、同様に、電力線１０２，１０４間の電気信号が、電磁誘導により電力線９２，９４に結合する。電力線９２，９４の対及び電力線１０２，１０４の対が、それぞれ、アンテナとして作用する。
【００４０】
これにより、電源プラグ９０，１００を別々のコンセントに接続すると、電源プラグ９０が接続する電力線上のＰＬＣ信号が、電力線９２，９４から電力線１０２，１０４に結合し、電源プラグ１００が接続する電力線に伝達される。同様に、電源プラグ１００が接続する電力線上のＰＬＣ信号が、電力線１０２，１０４から電力線９２，９４に結合し、電源プラグ９０が接続する電力線に伝達される。
【００４１】
電力線９２，９４と電力線１０２，１０４は電気的に接続していないので、電源プラグ９０，１００間で短絡の危険は無い。従って、本実施例の接続装置は、短絡の危険無しに、異なる電源系統のコンセント間に接続できる。また、同じ電源系統であっても、電圧の異なる箇所のコンセント間にも、短絡の危険無しに接続できる。開放端とみなしうる程に大きな抵抗を電力線９２，９４の先端間又は電力線１０２，１０４の先端間に接続してもよいことは勿論である。
【実施例６】
【００４２】
図１乃至図５に示す実施例では、理解を容易にするために、４本の電力線を直線上に延ばした状態を例示したが、湾曲させても良い。図６は、２つの電力線対をリング状に巻いた状態で、並置した構成の実施例６の概略構成図を示す。図６（Ａ）は、本実施例の斜視図を示し、図６（Ｂ）は、Ａ６−Ａ６線から見た断面図を示す。
【００４３】
電源プラグ１１０に２本の電力線１１２，１１４が接続し、電力線１１２，１１４の他端は開放されている。同様に、電源プラグ１２０に電力線１２２，１２４が接続し、電力線１２２，１２４の他端は、開放されている。電力線１１２，１１４，１２２，１２４の長さは、数ｍ乃至数十ｍ程度である。
【００４４】
電力線１１２，１１４の開放端の側に電源プラグ１２０を配置し、電力線１２２，１２４の開放端の側に電源プラグ１１０を配置する。電力線１１２，１１４をリング状に湾曲させ、電力線１２２，１２４もまた、リング状に湾曲させる。そして、互いを、リング又はループを積み上げるように近接配置する。このような構成でも、実施例１〜４と同様に、電力線１１２，１１４の対から、電力線１２２，１２４の対に、そして、その逆に、ＰＬＣ信号を結合することができる。
【００４５】
電力線１１２，１１４と電力線１２２，１２４は電気的に接続していないので、電源プラグ１１０，１２０間で短絡の危険は無い。従って、本実施例の接続装置は、短絡の危険無しに、異なる電源系統のコンセント間に接続できる。また、同じ電源系統であっても、電圧の異なる箇所のコンセント間にも、短絡の危険無しに接続できる。開放端とみなしうる程に大きな抵抗を電力線１１２，１１４の先端間又は電力線１２２，１２４の先端間に接続してもよいことは勿論である。
【００４６】
実施例６は、他の実施例１乃至５に比べ、小型にできるという利点がある。
【００４７】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００４８】
【図１】本発明の実施例１の概略構成図である。
【図２】本発明の実施例２の概略構成図である。
【図３】本発明の実施例３の概略構成図である。
【図４】本発明の実施例４の概略構成図である。
【図５】本発明の実施例５の概略構成図である。
【図６】本発明の実施例６の概略構成図である。
【符号の説明】
【００４９】
１０：電源プラグ
１２，１４：電力線
２０：電源プラグ
２２，２４：電力線
３０：電源プラグ
３２，３４：電力線
４０：電源プラグ
４２，４４：電力線
５０：電源プラグ
５２，５４：電力線
６０：電源プラグ
６２，６４：電力線
７０：電源プラグ
７２，７４：電力線
８０：電源プラグ
８２，８４：電力線
９０：電源プラグ
９２，９４：電力線
１００：電源プラグ
１０２，１０４：電力線
１１０：電源プラグ
１１２，１１４：電力線
１２０：電源プラグ
１２２，１２４：電力線
【図１】
0004720574.tif 000002
【図２】
0004720574.tif 000003
【図３】
0004720574.tif 000004
【図４】
0004720574.tif 000005
【図５】
0004720574.tif 000006
【図６】
0004720574.tif 000007